(57)【要約】【課題】他の基地局への音声信号の折り返しに伴う伝送遅延を抑制しつつ、指令局において音声を出力することが可能な基地局、無線通信システム及び無線通信方法を提供する。【解決手段】受信手段２は、第１の移動局によって音声信号が符号化された第１の信号を、第１の移動局から受信する。判定手段４は、受信手段２によって受信された第１の信号の品質の良否を判定する。復号手段６は、第１の信号を復号して、音声信号である第２の信号を得る。送信手段８は、判定手段４によって第１の信号の品質が良いと判定された場合に、第１の信号と、復号手段６によって得られた第２の信号とを、指令局に送信する。【選択図】図１
2014165606.tif 000002
【特許請求の範囲】
【請求項１】
音声を入力する第１の移動局と無線通信を行い、音声を出力する指令局と接続された基地局であって、
前記第１の移動局によって音声信号が符号化された第１の信号を、前記第１の移動局から受信する受信手段と、
前記受信手段によって受信された前記第１の信号の品質の良否を判定する判定手段と、
前記第１の信号を復号して、音声信号である第２の信号を得る復号手段と、
前記判定手段によって前記第１の信号の品質が良いと判定された場合に、前記第１の信号と、前記復号手段によって得られた前記第２の信号とを、前記指令局に送信する送信手段と
を有する基地局。
【請求項２】
前記送信手段によって前記指令局に送信された前記第１の信号は、前記指令局によって当該基地局とは異なる他の基地局に転送され、前記送信手段によって前記指令局に送信された前記第２の信号は、前記指令局によって音声として出力される
請求項１に記載の基地局。
【請求項３】
前記判定手段によって前記第１の信号の品質が悪いと判定された場合に、前記送信手段は、前記復号手段によって得られた前記第２の信号を、前記指令局に送信し、
前記送信手段によって前記指令局に送信された前記第２の信号は、前記指令局によって当該基地局とは異なる他の基地局に転送され、前記他の基地局によって符号化される
請求項１または２に記載の基地局。
【請求項４】
前記復号手段は、音声符号化された信号を復号し、誤り訂正符号化された信号を復号する
請求項１から３のいずれか１項に記載の基地局。
【請求項５】
音声を入力する第１の移動局と無線通信を行う第１の基地局と、
第２の移動局と無線通信を行う第２の基地局と、
前記第１の基地局及び前記第２の基地局と接続された指令局と
を有し、
前記第１の基地局は、
前記第１の移動局によって音声信号が符号化された第１の信号を、前記第１の移動局から受信する受信手段と、
前記受信手段によって受信された前記第１の信号の品質の良否を判定する判定手段と、
前記第１の信号を復号して、音声信号である第２の信号を得る復号手段と、
前記判定手段によって前記第１の信号の品質が良いと判定された場合に、前記第１の信号と、前記復号手段によって得られた前記第２の信号とを、前記指令局に送信する送信手段と
を有し、
前記指令局は、
前記第１の基地局によって送信された前記第１の信号を前記第２の移動局に転送する転送手段と、
前記第１の基地局によって送信された前記第２の信号に基づいて、音声を出力する音声出力手段と
を有する
無線通信システム。
【請求項６】
前記第１の基地局の前記判定手段によって前記第１の信号の品質が悪いと判定された場合、
前記第１の基地局の前記送信手段は、前記第２の信号を前記指令局に送信し、
前記指令局の前記転送手段は、前記第２の信号を前記第２の移動局に転送し、前記指令局の前記音声出力手段は、前記第２の信号を用いて音声を出力し、
前記第２の基地局は、前記第２の信号を符号化して前記第２の移動局に送信する
請求項５に記載の無線通信システム。
【請求項７】
音声を入力する第１の移動局と無線通信を行い、音声を出力する指令局と接続された基地局における無線通信方法であって、
前記第１の移動局によって音声信号が符号化された第１の信号を、前記第１の移動局から受信する受信ステップと、
前記受信ステップにおいて受信された前記第１の信号の品質の良否を判定する判定ステップと、
前記第１の信号を復号して、音声信号である第２の信号を得る復号ステップと、
前記判定ステップにおいて前記第１の信号の品質が良いと判定された場合に、前記第１の信号と、前記復号ステップで得られた前記第２の信号とを、前記指令局に送信する送信ステップと
を含む無線通信方法。
【請求項８】
前記判定ステップにおいて前記第１の信号の品質が悪いと判定された場合に、前記復号ステップで得られた前記第２の信号を、前記指令局に送信するステップ
をさらに含む請求項７に記載の無線通信方法。
【発明の詳細な説明】
【技術分野】
【０００１】
本発明は、基地局、無線通信システム及び無線通信方法に関し、特に、移動局から信号を受信する基地局、無線通信システム及び無線通信方法に関する。
【背景技術】
【０００２】
消防無線システム又は防災無線システムにおいては、基地局は、移動局から音声信号（上り信号）を受信し、その音声信号を指令局に送信する。指令局では、その音声信号を用いて例えばスピーカ等によって音声を出力するとともに、音声信号を他の基地局に折り返す（転送する）。そして、音声信号を折り返された（転送された）基地局は、他の移動局にその音声信号を送信する。このようにして、指令局において音声を出力しつつ、他の移動局に音声信号を伝播している。
【０００３】
移動局は、基地局に上り信号を送信する際、無線伝送における音声信号のビットレートの削減及び誤り訂正等を目的として、音声信号を符号化する。上り信号を受信した基地局は、音声信号の復号を行って指令局に送信する。指令局は、復号された音声信号を用いて音声を出力するとともに、音声信号を他の基地局に折り返す。音声信号を折り返された他の基地局は、復号された音声信号を符号化して、他の移動局に送信する。このように、符号化処理及び復号処理を、上り下りそれぞれで個別に行っている。そのため、伝送遅延が生じるおそれがある。
【０００４】
上記の技術に関連して、特許文献１は、第一の移動機から送信された上り無線信号を第一の基地局が受信して高能率符号化音声信号に復調すると共に、前記第一の基地局が前記上り無線信号の品質の良否を判定する段階と、前記上り無線信号の品質が良い場合、第一の基地局から第二の基地局に高能率符号化音声信号を送信し、前記上り無線信号の品質が悪い場合、第一の基地局から第二の基地局にＰＣＭ信号を送信する段階と第二の基地局がＰＣＭ信号を受信した場合、第二の基地局がＰＣＭ信号を高能率符号化音声信号に符号化する段階と、第二の基地局が高能率符号化音声信号を変調して無線信号を第二の移動機に送信する段階とを含むことを特徴とするＣＯＤＥＣ１リンク制御方法を開示する。
【先行技術文献】
【特許文献】
【０００５】
【特許文献１】特開平１１−１６４３６３号公報
【発明の概要】
【発明が解決しようとする課題】
【０００６】
特許文献１などの技術では、指令局が音声を出力することが前提となっていない。したがって、他の基地局への折り返しに伴う伝送遅延を抑制しつつ、指令局において音声を出力することは困難である。
【０００７】
本発明の目的は、このような課題を解決するためになされたものであり、他の基地局への音声信号の折り返しに伴う伝送遅延を抑制しつつ、指令局において音声を出力することが可能な基地局、無線通信システム及び無線通信方法を提供することにある。
【課題を解決するための手段】
【０００８】
本発明にかかる基地局は、音声を入力する第１の移動局と無線通信を行い、音声を出力する指令局と接続された基地局であって、前記第１の移動局によって音声信号が符号化された第１の信号を、前記第１の移動局から受信する受信手段と、前記受信手段によって受信された前記第１の信号の品質の良否を判定する判定手段と、前記第１の信号を復号して、音声信号である第２の信号を得る復号手段と、前記判定手段によって前記第１の信号の品質が良いと判定された場合に、前記第１の信号と、前記復号手段によって得られた前記第２の信号とを、前記指令局に送信する送信手段とを有する。
【０００９】
本発明にかかる無線通信システムは、音声を入力する第１の移動局と無線通信を行う第１の基地局と、第２の移動局と無線通信を行う第２の基地局と、前記第１の基地局及び前記第２の基地局と接続された指令局とを有し、前記第１の基地局は、前記第１の移動局によって音声信号が符号化された第１の信号を、前記第１の移動局から受信する受信手段と、前記受信手段によって受信された前記第１の信号の品質の良否を判定する判定手段と、前記第１の信号を復号して、音声信号である第２の信号を得る復号手段と、前記判定手段によって前記第１の信号の品質が良いと判定された場合に、前記第１の信号と、前記復号手段によって得られた前記第２の信号とを、前記指令局に送信する送信手段とを有し、前記指令局は、前記第１の基地局によって送信された前記第１の信号を前記第２の移動局に転送する転送手段と、前記第１の基地局によって送信された前記第２の信号に基づいて、音声を出力する音声出力手段とを有する。
【００１０】
本発明にかかる無線通信方法は、音声を入力する第１の移動局と無線通信を行い、音声を出力する指令局と接続された基地局における無線通信方法であって、前記第１の移動局によって音声信号が符号化された第１の信号を、前記第１の移動局から受信する受信ステップと、前記受信ステップにおいて受信された前記第１の信号の品質の良否を判定する判定ステップと、前記第１の信号を復号して、音声信号である第２の信号を得る復号ステップと、前記判定ステップにおいて前記第１の信号の品質が良いと判定された場合に、前記第１の信号と、前記復号ステップで得られた前記第２の信号とを、前記指令局に送信する送信ステップとを含む。
【発明の効果】
【００１１】
本発明によれば、他の基地局への音声信号の折り返しに伴う伝送遅延を抑制しつつ、指令局において音声を出力することが可能な基地局、無線通信システム及び無線通信方法を提供できる。
【図面の簡単な説明】
【００１２】
【図１】本発明の実施の形態にかかる基地局を示す図である。
【図２】実施の形態１にかかる無線通信システムを示す図である。
【図３】図２に示した移動局の構成を示す図である。
【図４】図２に示した基地局の構成を示す図である。
【図５】比較例にかかる無線通信システムを示す図である。
【発明を実施するための形態】
【００１３】
［本発明にかかる実施の形態の概要］
実施の形態の説明に先立って、図１を用いて、本発明にかかる実施の形態の概要を説明する。図１は、本発明の実施の形態にかかる基地局１を示す図である。図１に示すように、基地局１は、受信手段２と、判定手段４と、復号手段６と、送信手段８とから構成される。
【００１４】
基地局１は、音声を入力する第１の移動局と無線通信を行い、音声を出力する指令局と接続された基地局である。受信手段２は、第１の移動局によって音声信号が符号化された第１の信号を、第１の移動局から受信する。判定手段４は、受信手段２によって受信された第１の信号の品質の良否を判定する。復号手段６は、第１の信号を復号して、音声信号である第２の信号を得る。送信手段８は、判定手段４によって第１の信号の品質が良いと判定された場合に、第１の信号と、復号手段６によって得られた第２の信号とを、指令局に送信する。
本発明の実施の形態にかかる基地局１によれば、他の基地局への音声信号の折り返しに伴う伝送遅延を抑制しつつ、指令局において音声を出力することができる。
【００１５】
［実施の形態１］
以下、図面を参照して実施の形態について説明する。図２は、実施の形態１にかかる無線通信システム１０を示す図である。無線通信システム１０は、移動局２０，４０、基地局６０，８０、及び指令局１００から構成される。移動局２０は、基地局６０と無線通信を行う。移動局４０は、基地局８０と無線通信を行う。基地局６０，８０は、指令局１００と例えばＬＡＮ（Local Area Network）ケーブル等の有線で接続されている。指令局１００は、回線制御装置及び指令台としての機能を有する。
【００１６】
以下、移動局２０からの音声信号を基地局６０が受信し、その音声信号を指令局１００が音声出力しつつ、指令局１００が音声信号を基地局８０に転送し（折り返し）、基地局８０が移動局４０にその音声信号を送信するケースについて説明する。なお、移動局２０，４０は、図２においてはそれぞれ１つずつ記載されているが、それぞれ、複数であってもよい。
【００１７】
図３は、図２に示した移動局２０，４０の構成を示す図であって、（Ａ）は移動局２０の構成を示し、（Ｂ）は移動局４０の構成を示す。また、図４は、図２に示した基地局６０，８０の構成を示す図であって、（Ａ）は基地局６０の構成を示し、（Ｂ）は基地局８０の構成を示す。
【００１８】
図３（Ａ）に示すように、移動局２０は、音声変換部２２、音声符号化部２４、誤り訂正符号化部２６、変復調処理部２８、アンテナ３０、誤り訂正復号部３２及び音声復号部３４から構成される。また、図３（Ｂ）に示すように、移動局４０は、音声変換部４２、音声符号化部４４、誤り訂正符号化部４６、変復調処理部４８、アンテナ５０、誤り訂正復号部５２及び音声復号部５４から構成される。
【００１９】
ここで、音声変換部２２及び音声変換部４２は、互いに同じ機能を有している。同様に、音声符号化部２４及び音声符号化部４４は、互いに同じ機能を有している。誤り訂正符号化部２６及び誤り訂正符号化部４６は、互いに同じ機能を有している。変復調処理部２８及び変復調処理部４８は、互いに同じ機能を有している。アンテナ３０及びアンテナ５０は、互いに同じ機能を有している。誤り訂正復号部５２及び誤り訂正復号部５２は、互いに同じ機能を有している。音声復号部３４及び音声復号部５４は、互いに同じ機能を有している。したがって、移動局２０，４０の互いに同じ機能を有する構成のうち、どちらか一方については、説明を省略することがある。
【００２０】
図４（Ａ）に示すように、基地局６０は、アンテナ６２、変復調処理部６４、品質判定部６６、誤り訂正復号部６８、音声復号部７０、送受信部７２、音声符号化部７４及び誤り訂正符号化部７６から構成されている。また、図４（Ｂ）に示すように、基地局８０は、アンテナ８２、変復調処理部８４、品質判定部８６、誤り訂正復号部８８、音声復号部９０、送受信部９２、音声符号化部９４及び誤り訂正符号化部９６から構成されている。
【００２１】
なお、基地局６０は、図１に示した基地局１に対応する。また、アンテナ６２及び変復調処理部６４は、図１に示した受信手段２に対応する。また、品質判定部６６は、図１に示した判定手段４に対応する。また、誤り訂正復号部６８及び音声復号部７０は、図１に示した復号手段６に対応する。また、送受信部７２は、図１に示した送信手段８に対応する。
【００２２】
ここで、アンテナ６２及びアンテナ８２は、互いに同じ機能を有している。同様に、変復調処理部６４及び変復調処理部８４は、互いに同じ機能を有している。品質判定部６６及び品質判定部８６は、互いに同じ機能を有している。誤り訂正復号部６８及び誤り訂正復号部８８は、互いに同じ機能を有している。音声復号部７０及び音声復号部９０は、互いに同じ機能を有している。送受信部７２及び送受信部９２は、互いに同じ機能を有している。音声符号化部７４及び音声符号化部９４は、互いに同じ機能を有している。誤り訂正符号化部７６及び誤り訂正符号化部９６は、互いに同じ機能を有している。したがって、基地局６０，８０の互いに同じ機能を有する構成のうち、どちらか一方については、説明を省略することがある。
【００２３】
移動局２０（図３）の音声変換部２２は、マイク等の集音器で入力された音声を、例えばＰＣＭ（Pulse Code Modulation）方式でデジタル信号に変換し、音声符号化部２４に対して出力する。この変換後のデジタル信号を、ＰＣＭ信号と称する。なお、音声をデジタル信号に変換する方式は、ＰＣＭ方式に限られない。
【００２４】
音声符号化部２４は、ＰＣＭ信号に対して符号化処理を行って、ビットレートが削減された音声符号化信号を、誤り訂正符号化部２６に対して出力する。音声符号化部２４は、例えば、ＣＥＬＰ（Code Excited Linear Prediction：符号励振線形予測）方式等の低ビットレート音声符号化方式で符号化処理を行う。ただし、符号化処理は、ＣＥＬＰ方式に限られない。
【００２５】
誤り訂正符号化部２６は、音声符号化部２４からの音声符号化信号に対して誤り訂正符号化処理を行って、処理後の音声符号化信号を、変復調処理部２８に対して出力する。この誤り訂正符号化処理は、例えば畳み込み符号化等の前方誤り訂正（ＦＥＣ：Forward Error Correction）である。ただし、誤り訂正符号化処理は、畳み込み符号化に限られない。
変復調処理部２８は、誤り訂正符号化部２６からの音声符号化信号に対して変調処理を行い、アンテナ３０を介して無線信号を無線ネットワークに送信する。
【００２６】
基地局６０（図４）の変復調処理部６４は、アンテナ６２を介して、移動局２０から送信された無線信号を受信する。さらに、変復調処理部６４は、受信信号に対して復調処理を行って、得られた音声符号化信号を、品質判定部６６に対して出力する。
【００２７】
品質判定部６６は、受信された音声符号化信号（上り信号）の無線伝送品質を判定する。具体的には、例えば、品質判定部６６は、遅延検波による位相誤り量を検出し、その位相誤り量が予め定められた閾値を超えた場合に品質が悪いと判定し、閾値以下の場合に品質がよいと判定する。または、例えば、品質判定部６６は、復調後の受信信号に含まれる無線フレーム内にある同期ワード（ＳＷ：Synchronous Word）の誤り数を検出し、その誤り数が予め定められた閾値を超えた場合に品質が悪いと判定し、閾値以下の場合に品質が良いと判定する。なお、同期ワードとは、フレーム同期を行うために使用されるデータ列である。また、品質判定部６６によって品質を判定する方法は、無線伝送品質の良否を判定できれば、上記の方法に限られない。
【００２８】
まず、品質判定部６６によって、無線伝送品質が良いと判定された場合について説明する。この場合、品質判定部６６は、誤り訂正復号部６８及び音声復号部７０を迂回（バイパス）された音声符号化信号を、送受信部７２に対して出力する。つまり、品質判定部６６からの音声符号化信号は、誤り訂正復号部６８及び音声復号部７０による復号処理がなされていない。
【００２９】
さらに、品質判定部６６は、音声符号化信号を、誤り訂正復号部６８に対して出力する。誤り訂正復号部６８は、音声符号化信号に対して誤り訂正復号処理を行って、処理後の音声符号化信号を、音声復号部７０に対して出力する。この誤り訂正復号処理は、例えばビタビ（Viterbi）復号等の前方誤り訂正（ＦＥＣ）復号であるが、これに限られない。
【００３０】
音声復号部７０は、誤り訂正復号部６８からの音声符号化信号に対して復号処理を行って、得られたＰＣＭ信号を、送受信部７２に対して出力する。送受信部７２は、品質判定部６６からの音声符号化信号と、音声復号部７０からのＰＣＭ信号とを、指令局１００に対して送信する。つまり、無線伝送品質が良い場合、指令局１００には、音声符号化信号及びＰＣＭ信号の２種類の信号が、基地局６０から送信される。
【００３１】
図２に示すように、指令局１００は、時分割多重スイッチ（ＴＳＷ）１０２、音声変換部１０６及びスピーカ１０８から構成される。時分割多重スイッチ１０２は、基地局６０から音声符号化信号及びＰＣＭ信号を受信すると、ＰＣＭ信号を、音声変換部１０６に対して出力する。音声変換部１０６は、ＰＣＭ信号に対してＰＣＭ方式でアナログ信号に変換する。スピーカ１０８は、変換されたアナログ信号を音声として出力する。また、時分割多重スイッチ１０２は、基地局６０からの音声符号化信号を、基地局８０に転送する（折り返す）。
【００３２】
基地局８０の送受信部９２（図３）は、指令局１００から音声符号化信号を受信すると、その音声符号化信号を、音声符号化部９４及び誤り訂正符号化部９６をバイパスさせて、変復調処理部８４に対して出力する。変復調処理部８４は、音声符号化信号に対して変調処理を行い、アンテナ８２を介して無線信号を無線ネットワークに送信する。
【００３３】
つまり、指令局１００から音声符号化信号が受信された場合は、すでに音声信号は符号化されているので、音声符号化部９４及び誤り訂正符号化部９６によって符号化する必要はない。したがって、この場合、基地局８０では、音声符号化部９４及び誤り訂正符号化部９６による符号化処理はなされない。
【００３４】
移動局４０の変復調処理部４８（図３）は、アンテナ５０を介して、基地局８０から送信された無線信号を受信する。さらに、変復調処理部４８は、受信信号に対して復調処理を行って、得られた音声符号化信号を、誤り訂正復号部５２に対して出力する。誤り訂正復号部５２は、誤り訂正復号部６８と同様に、音声符号化信号に対して誤り訂正復号処理を行って、処理後の音声符号化信号を音声復号部５４に対して出力する。音声復号部５４は、音声復号部７０と同様に、誤り訂正復号部５２からの音声符号化信号に対して復号処理を行って、得られたＰＣＭ信号を、音声変換部４２に対して出力する。音声変換部４２は、指令局１００の音声変換部１０６と同様に、ＰＣＭ信号に対してＰＣＭ方式でアナログ信号に変換する。このアナログ信号は、スピーカ等によって、音声として出力される。
【００３５】
次に、品質判定部６６によって、無線伝送品質が悪いと判定された場合について説明する。この場合、品質判定部６６（図３）は、音声符号化信号を、誤り訂正復号部６８に対して出力する。つまり、この場合、音声符号化信号は、復号処理を迂回されず、直接、送受信部７２に送信されることはない。
【００３６】
誤り訂正復号部６８は、上述した場合と同様に、音声符号化信号に対して誤り訂正復号処理を行って、処理後の音声符号化信号を、音声復号部７０に対して出力する。音声復号部７０は、上述した場合と同様に、誤り訂正復号部６８からの音声符号化信号に対して復号処理を行って、得られたＰＣＭ信号を、送受信部７２に対して出力する。送受信部７２は、音声復号部７０からのＰＣＭ信号を、指令局１００に対して送信する。つまり、無線伝送品質が悪い場合、指令局１００には、ＰＣＭ信号が基地局６０から送信され、復号前の音声符号化信号は、指令局１００に送信されない。
【００３７】
時分割多重スイッチ１０２は、基地局６０からＰＣＭ信号を受信すると、上述した場合と同様に、ＰＣＭ信号を、音声変換部１０６に対して出力する。音声変換部１０６は、上述した場合と同様に、ＰＣＭ信号に対してＰＣＭ方式でアナログ信号に変換する。スピーカ１０８は、上述した場合と同様に、変換されたアナログ信号を音声として出力する。また、時分割多重スイッチ１０２は、基地局６０からのＰＣＭ信号を、基地局８０に転送する（折り返す）。
【００３８】
基地局８０の送受信部９２（図３）は、指令局１００からＰＣＭ信号を受信すると、そのＰＣＭ信号を、音声符号化部９４に対して出力する。音声符号化部９４は、移動局２０の音声符号化部２４と同様に、ＰＣＭ信号に対して符号化処理を行って、ビットレートが削減された音声符号化信号を、誤り訂正符号化部９６に対して出力する。誤り訂正符号化部９６は、移動局２０の誤り訂正符号化部２６と同様に、音声符号化部９４からの音声符号化信号に対して誤り訂正符号化処理を行って、処理後の音声符号化信号を、変復調処理部８４に対して出力する。
【００３９】
変復調処理部８４は、音声符号化信号に対して変調処理を行い、アンテナ８２を介して無線信号を無線ネットワークに送信する。移動局４０が、基地局８０から送信された無線信号を受信すると、上述した場合と同様に、復号処理等がなされる。
【００４０】
［比較例］
以下、比較例について説明する。図５は、比較例にかかる無線通信システム２００を示す図である。無線通信システム２００は、移動局２０，４０、基地局２６０，２８０、及び指令局３００から構成される。移動局２０は、基地局２６０と無線通信を行う。移動局４０は、基地局２８０と無線通信を行う。基地局２６０，２８０は、指令局３００と例えばＬＡＮケーブル等の有線で接続されている。また、上述した構成と実質的に同様の構成については、同じ符号が付され、説明を省略する。
【００４１】
図５に示すように、基地局２６０は、アンテナ２６２、変復調処理部２６４、誤り訂正復号部２６８、送受信部２７２及び誤り訂正符号化部２７６から構成されている。また、基地局２８０は、アンテナ２８２、変復調処理部２８４、誤り訂正復号部２８８、送受信部２９２及び誤り訂正符号化部２９６から構成されている。また、指令局３００は、時分割多重スイッチ（ＴＳＷ）３０２、音声復号部３０４、音声変換部３０６及びスピーカ３０８から構成される。
【００４２】
ここで、実施の形態１と同様に、アンテナ２６２及びアンテナ２８２は、互いに同じ機能を有している。変復調処理部２６４及び変復調処理部２８４は、互いに同じ機能を有している。誤り訂正復号部２６８及び誤り訂正復号部２８８は、互いに同じ機能を有している。送受信部２７２及び送受信部２９２は、互いに同じ機能を有している。誤り訂正符号化部２７６及び誤り訂正符号化部２９６は、互いに同じ機能を有している。したがって、基地局２６０，２８０の互いに同じ機能を有する構成のうち、どちらか一方については、説明を省略することがある。
【００４３】
実施の形態１と同様に、移動局２０は、音声をＰＣＭ方式でデジタル信号（ＰＣＭ信号）に変換し、低ビットレート音声符号化方式で符号化処理を行い、誤り訂正符号化処理を行う。さらに、移動局２０は、処理後の音声符号化信号に対して変調処理を行って、無線ネットワークに送信する。
【００４４】
基地局２６０の変復調処理部２６４は、アンテナ２６２を介して、移動局２０から送信された無線信号を受信する。さらに、変復調処理部２６４は、受信信号に対して復調処理を行って、得られた音声符号化信号を、誤り訂正復号部２６８に対して出力する。誤り訂正復号部２６８は、誤り訂正復号部６８と同様に、音声符号化信号に対して誤り訂正復号処理を行って、処理後の音声符号化信号を、送受信部２７２に対して出力する。送受信部２７２は、誤り訂正復号部２６８からの音声符号化信号を、指令局３００に対して送信する。つまり、実施の形態１の場合と異なり、基地局２６０から、音声符号化信号のみが指令局３００に送信される。
【００４５】
時分割多重スイッチ３０２は、基地局２６０から音声符号化信号を受信すると、その音声符号化信号を音声復号部３０４に対して出力する。音声復号部３０４は、音声符号化信号に対して復号処理を行って、得られたＰＣＭ信号を、音声変換部３０６に対して出力する。音声変換部３０６は、音声変換部１０６と同様に、ＰＣＭ信号に対してＰＣＭ方式でアナログ信号に変換する。スピーカ３０８は、変換されたアナログ信号を音声として出力する。
【００４６】
また、時分割多重スイッチ３０２は、基地局６０からの音声符号化信号を、基地局８０に転送する（折り返す）。基地局２８０の送受信部２９２は、指令局３００から音声符号化信号を受信すると、その音声符号化信号を、誤り訂正符号化部２９６に対して出力する。誤り訂正符号化部２９６は、誤り訂正符号化部９６と同様に、音声符号化信号に対して誤り訂正符号化処理を行って、処理後の音声符号化信号を、変復調処理部２８４に対して出力する。変復調処理部２８４は、音声符号化信号に対して変調処理を行い、アンテナ２８２を介して無線信号を無線ネットワークに送信する。移動局４０が、基地局２８０から送信された無線信号を受信すると、上述した場合と同様に、復号処理等がなされる。
【００４７】
以上のように、比較例においては、無線伝送品質の良否に関わらず、基地局２８０で誤り訂正符号化処理がなされる。したがって、この処理のため、伝送遅延が生じるおそれがある。また、比較例においては、基地局２６０で誤り訂正復号処理がなされ、指令局３００で音声復号処理がなされる。つまり、基地局２６０及び指令局３００といった別々の装置（ノード）にまたがって復号処理がなされるので、指令局３００の部品点数が増大し、コストアップの要因となる。
【００４８】
一方、実施の形態１においては、無線伝送品質が良い場合、基地局６０は、音声符号化信号及びＰＣＭ信号の２種類の信号を指令局１００に送信するので、指令局１００で音声信号を復号しなくてもスピーカ等で音声を出力でき、かつ、符号化処理がなされた音声符号化信号を、基地局８０に転送（折り返し）できる。したがって、基地局８０で音声符号化処理を行う必要がない。よって、この折り返しに伴う伝送遅延を抑制することができ、かつ、指令局１００において音声信号を復号することなく音声出力ができる。言い換えれば、無線伝送品質を維持しつつ、伝送遅延を抑制でき、さらに、指令局１００で音声出力をすることができる。
【００４９】
また、実施の形態１においては、無線伝送品質が悪い場合であっても、基地局６０がＰＣＭ信号を指令局１００に送信するので、指令局１００で復号処理を行うことなく音声を出力できる。また、この場合、指令局１００はＰＣＭ信号を基地局８０に転送（折り返し）するので、基地局８０において符号化処理を行うことによって、無線伝送品質が悪い場合でも、音声信号を移動局４０に送信（転送）することができる。
【００５０】
さらに、実施の形態１においては、基地局６０で符号化処理を行うので、指令局１００で復号処理を行う必要がない。したがって、指令局１００の部品点数を削減することができ、指令局１００のコストを抑制することができる。
【００５１】
また、適応変調符号化処理では、基地局と移動局との間で信号をやりとりする（ネゴシエーションする）ことによって、受信側における無線伝送品質が良いか否かを判断しているが、実施の形態１においては、このようなネゴシエーションは不要である。つまり、基地局側における処理のみで、無線伝送品質に応じた無線通信が可能である。
【００５２】
［変形例］
なお、本発明は上記実施の形態に限られたものではなく、以下のように、趣旨を逸脱しない範囲で適宜変更することが可能である。例えば、上述した実施の形態１においては、無線伝送品質が良い場合に、基地局６０において、誤り訂正復号部６８による誤り訂正復号処理及び音声復号部７０による音声復号処理の両方が回避（バイパス）された音声符号化信号が、基地局８０に転送されるとしたが、音声復号部７０による音声復号処理のみ回避された音声符号化信号が基地局８０に転送されるようにしてもよい。
【００５３】
この場合、基地局８０では、音声符号化部９４による音声符号化処理はなされないが、誤り訂正符号化部９６による誤り訂正符号化処理は実行されてもよい。つまり、音声符号化処理及び音声復号処理を冗長に繰り返すと音質が劣化する要因となるので、無線伝送品質が良い場合に冗長な音声符号化処理を回避することによって、音質の劣化を抑制することができる。
【００５４】
また、上述した実施の形態１においては、基地局６０において無線伝送品質の良否を判定し、無線伝送品質の良否に応じて、音声符号化信号又はＰＣＭ信号を、基地局８０に転送するようにしたが、基地局８０から音声信号を受信する側である移動局４０においても、無線伝送品質の良否に応じた処理をしてもよい。例えば、移動局４０が複数ある場合、基地局８０からの距離が近い移動局４０の方が、基地局８０からの距離が遠い移動局４０よりも、無線伝送品質が良くなる。
【００５５】
このとき、基地局８０は、複数の移動局４０のそれぞれに、音声符号化信号Ａ及び音声符号化信号Ｂの２種類の信号を送信してもよい。ここで、音声符号化信号Ａは、基地局６０が復号処理（誤り訂正復号処理及び音声復号処理の少なくとも一方）を回避して指令局１００に送信し、基地局８０が符号化処理（音声符号化処理及び誤り訂正符号化処理の少なくとも一方）を回避して得られた音声符号化信号である。一方、音声符号化信号Ｂは、基地局６０が復号処理を施して指令局１００に送信し、基地局８０が符号化処理を施して得られた音声符号化信号である。
【００５６】
このとき、移動局４０は、音声符号化信号Ａ及び音声符号化信号Ｂを受信し、無線伝送品質の良否に応じて、音声符号化信号Ａ又は音声符号化信号Ｂのどちらかを処理対象として選択してもよい。例えば、移動局４０は、無線伝送品質が良い場合（移動局４０が基地局８０から近い場合）、移動局４０は、音声符号化信号Ａを選択してもよい。また、移動局４０は、無線伝送品質が悪い場合（移動局４０が基地局８０から遠い場合）、移動局４０は、音声符号化信号Ｂを選択してもよい。
【符号の説明】
【００５７】
１  基地局
２  受信手段
４  判定手段
６  復号手段
８  送信手段
１０  無線通信システム
２０，４０  移動局
２２，４２  音声変換部
２４，４４  音声符号化部
２６，４６  訂正符号化部
２８，４８  変復調処理部
３０，５０  アンテナ
３２，５２  訂正復号部
３４，５４  音声復号部
６０，８０  基地局
６２，８２  アンテナ
６４，８４  変復調処理部
６６，８６  品質判定部
６８，８８  訂正復号部
７０，９０  音声復号部
７２，９２  送受信部
７４，９４  音声符号化部
７６，９６  訂正符号化部
１００  指令局
１０２  時分割多重スイッチ
１０６  音声変換部
１０８  スピーカ
【図１】
2014165606.tif 000003
【図２】
2014165606.tif 000004
【図３】
2014165606.tif 000005
【図４】
2014165606.tif 000006
【図５】
2014165606.tif 000007